(57)【要約】【課題】この発明は、打球の方向性の安定化を図ったうえで、ボール初速の向上を図り得るようにして、飛距離の向上を実現することにある。【解決手段】金属製ヘッド本体１０のクラウン部１１内壁におけるフェース部１３側にトウ・ヒール方向に連続され、フェース部１３のフェース面に沿って肉厚部２０を形成し、この肉厚部２０にトウ・ヒール方向に連続され、フェース面に沿って凹条部２１を設けて構成したものである。【選択図】      図２
2005073736.tif 000002
【特許請求の範囲】
【請求項１】
中空構造の金属製ヘッド本体を有するゴルフクラブヘッドであって、
前記ヘッド本体のクラウン部内壁におけるフェース部側に前記ヘッド本体のトウ・ヒール方向に連続され、前記フェース部のフェース面に沿って肉厚部を形成し、この肉厚部に前記ヘッド本体のトウ・ヒール方向に連続され、前記フェース部のフェース面に沿って形成した凹条部を設けたことを特徴とするゴルフクラブヘッド。
【請求項２】
前記肉厚部及び凹条部は、フェース面中央部断面におけるクラウン部のフェース部側端部とバック部側端部を結ぶ線分より、略垂直方向に最も突出した部分を含む範囲を除いて形成されることを特徴とする請求項１記載のゴルフクラブヘッド。
【請求項３】
中空構造の金属製ヘッド本体を有するゴルフクラブヘッドであって、
前記ヘッド本体のクラウン部内壁におけるフェース部側に前記ヘッド本体のトウ・ヒール方向に連続され、前記フェース部のフェース面に沿って弾性変形規制部を具備することを特徴とするゴルフクラブヘッド。
【請求項４】
前記弾性変形規制部は、フェース面中央部断面におけるクラウン部のフェース部側端部とバック部側端部を結ぶ線分より、略垂直方向に最も突出した部分を含む範囲を除いて形成されることを特徴とする請求項３記載のゴルフクラブヘッド。
【請求項５】
前記ヘッド本体のクラウン部内壁のバック部側に、前記フェース部のフェース面と交差する該フェース面方向に延出される複数のリブを備えることを特徴とする請求項１乃至４のいずれか記載のゴルフクラブヘッド。
【請求項６】
複数のリブは、フェース面中央部断面におけるクラウン部のフェース部側端部とバック部側端部を結ぶ線分より、略垂直方向に最も突出した部分を含む範囲を除いて形成されることを特徴とする請求項１乃至５の何れか記載のゴルフクラブヘッド。
【請求項７】
中空構造の金属製ヘッド本体を有するゴルフクラブヘッドであって、
前記ヘッド本体のクラウン部内壁におけるフェース部側に前記ヘッド本体のトウ・ヒール方向に連続され、前記フェース部のフェース面に沿って形成した凹条部と、
前記ヘッド本体のクラウン部内壁のバック部側に、前記フェース部のフェース面と交差する該フェース面方向に延出される複数のリブと、
を具備することを特徴とするゴルフクラブヘッド。
【請求項８】
前記弾性変形部及び前記複数のリブは、フェース面中央部断面におけるクラウン部のフェース部側端部とバック部側端部を結ぶ線分より、略垂直方向に最も突出した部分を含む範囲を除いて形成されることを特徴とする請求項７記載のゴルフクラブヘッド。
【発明の詳細な説明】
【技術分野】
【０００１】
この発明は、例えば中空構造に形成される金属性ヘッド本体を備えるゴルフクラブヘッドに関する。
【背景技術】
【０００２】
一般に、この種のゴルフクラブヘッドは、ステンレス、アルミニウム合金、チタン、チタン合金等の金属材料を、鋳造、鍛造、プレス等の手法で所望の形状に形成した複数の部材、繊維強化樹脂（ＦＲＰ）で形成した部材が溶接や接着等により組合わされて中空構造に製作される。
【０００３】
ところで、このようなゴルフクラブヘッドには、そのフェース面で打球した際のボールの飛距離を高める手段として、ヘッド本体のクラウン部におけるフェース面の近傍に、該フェース面の周辺に沿って複数のスロットを略直線上に所定の間隔に設けた複数のスリット列を、略平行に所定の間隔を有して形成し、各スリット列のスリットが互い違いとなる千鳥状に配置したヘッド構造のものがある（例えば、特許文献１参照。）。このヘッド構造の場合は、スリット列間のばね支持構造の作用により、ヘッド本体の変形周期がボールの変形周期に同調されてそのフェース部で打球したボールの飛距離の向上が図られる。
【０００４】
また、ボールの飛距離を高める手段としては、フェース部、あるいはクラウン部に薄肉溝、又は貫通孔を形成し、フェース部の相対変化を大きくすることにより飛距離の向上を図るようにしたヘッド構造のものもある（例えば、特許文献１参照。）。
【特許文献１】特開平６−１９００８８号公報
【特許文献２】特開平１０−２６３１１８号公報
【発明の開示】
【発明が解決しようとする課題】
【０００５】
しかしながら、上記特許文献１のヘッド構造では、クラウン部にスリット列を形成してばね性を持たせている構造のため、ボール打球部分近傍が変形し、打球位置によりフェース面の変形方向が異なることで、打球の方向性にばらつきが発生するという不都合を有する。
【０００６】
また、上記特許文献２のヘッド構造では、その構成上、変形を助長し、変形許容範囲が大きく、ボール打球部分近傍が変形し易いため、打球位置によりフェース面の変形方向が異なり、打球方向にばらつきが発生するという不都合を有する。
【０００７】
この発明は上記の事情に鑑みてなされたもので、打球の方向性の安定化を図ったうえで、ボール初速の向上を図り得るようにして、飛距離の向上を実現したゴルフクラブヘッドを提供することを目的とする。
【課題を解決するための手段】
【０００８】
この発明は、中空構造の金属製ヘッド本体を有するゴルフクラブヘッドであって、前記ヘッド本体のクラウン部内壁におけるフェース部側に前記ヘッド本体のトウ・ヒール方向に連続され、前記フェース部のフェース面に沿って肉厚部を形成し、この肉厚部に前記ヘッド本体のトウ・ヒール方向に連続され、前記フェース部のフェース面に沿って形成した凹条部を設けて構成した。
【０００９】
上記構成によれば、クラウン部は、打球時、その厚肉部の凹条部で撓みがフェース部のフェース面に対して略平行に規制されることにより、全体としてフェース面に対して略平行にバランスのとれた状態で撓まれる。従って、フェース面に対する打球位置が若干異なっても、打球の方向性が略安定化され、しかも、厚肉部の凹条部により十分な反発力が得られて、所望のボール初速が可能となり、飛距離の向上が図れる。
【発明の効果】
【００１０】
以上述べたように、この発明によれば、打球の方向性の安定化を図ったうえで、ボール初速の向上を図り得るようにして、飛距離の向上を実現したゴルフクラブヘッドを提供することができる。
【発明を実施するための最良の形態】
【００１１】
以下、この発明の実施の形態について、図面を参照して詳細に説明する。
【００１２】
図１は、この発明の一実施の形態に係るゴルフクラブヘッドを示すもので、ヘッド本体１０は、例えばチタン、チタン合金、あるいはステンレス等の好適な金属材料から鋳造、鍛造、あるいはプレス等によりクラウン部１１、ソウル部１２及びボールを打球するフェース部１３で構成される中空構造に形成される。そして、このヘッド本体１０は、そのバック部１０１を後方に突出させた中空の外殻構造を持つ金属製中空ウッドヘッドとして形成される。
【００１３】
また、ヘッド本体１０には、ヒール１０２側のクラウン部１１からシャフト止着部１４が突出されて設けられる。このシャフト止着部１４は、ヒール１０２方向にわずかに傾斜した筒状に形成され、ステンレス等の金属あるいは繊維強化樹脂で形成したシャフト１５の先端がソケット１６を介して挿入されて接着されて止着される。このシャフト止着部１４のクラウン部１１からの突出長さは、適宜に調整することができ、図示のようにクラウン部１１から僅かに突出させた構造に限らず、これと同一面に形成し、あるいは、凹設することも可能である。
【００１４】
ここで、上記フェース部１３は、トウ１０３・ヒール１０２方向に湾曲し、クラウン・ソール方向にも僅かに湾曲した断面形状を有し（図２参照）、そのフェース部１３のスイートスポットがヘッド本体１０の重心Ｇに対向される。上記ヘッド本体１０のクラウン部１１には、その内壁のフェース部１３側に反発力を高めるための肉厚部２０が、例えばフェース部１３のトウ１０３・ヒール１０２方向に連続して形成される。
【００１５】
この肉厚部２０は、その肉厚寸法ｔ１がクラウン部１１の肉厚寸法ｔ２に対してｔ１＞ｔ２に形成される。肉厚部２０の肉厚寸法ｔ１は、例えばクラウン部１１の肉厚寸法ｔ２が０．６〜１．０ｍｍとすると、１．０〜１．７ｍｍに設定される。そして、この肉厚部２０には、トウ１０３・ヒール１０２方向に連続される複数の凹条部２１がフェース部１３のフェース面に沿わせて、例えば湾曲形状に所定の間隔を有して略平行に形成される。この凹条部２１は、フェース部１３のフェース面で打球されて、撓みが発生すると、その肉厚部２０によりフェース面に対して略平行に撓むように規制されて、略平行の反発力でボールを押し出す如く作用する。
【００１６】
なお、上記凹条部２１としては、幅寸法が０．５〜４．０ｍｍで、好ましくは１〜１．５ｍｍ、深さ寸法が０．１〜０．５ｍｍで、好ましくは０．１〜０．２ｍｍに設定される。
【００１７】
また、上記クラウン部１１には、その内壁のバック部１０１側に、フェース部１３のフェース面と交差する該フェース面方向に延出される複数の突出したリブ２２が所定の間隔に並設して形成される。このリブ２２は、フェース部１３による打球時、クラウン部１１のバック部１０１側の撓みを規制するもので、例えば２本を設ける場合、上記重心Ｇに対して略対称に平行、あるいは所定の傾斜角を有して設けられ、３本以上を配する場合、重心Ｇを中心として、平行、あるいは所定の傾斜角を有して設けられる。
【００１８】
上記凹条部２１の設けられる肉厚部２０及びリブ２２は、そのうち肉厚部２０の最もバック部１０１側及びリブ２２のフェース部１３側の端部が、クラウン部１１の最も突出した位置Ｈ、即ちバック部１０１の湾曲部におけるクラウン部１１側の頂点位置Ａとフェース部１３の湾曲部におけるクラウン側の頂点位置Ｂを結ぶ線上より最も離間された位置を含む所定の範囲を除いて形成される。
【００１９】
上記構成により、フェース部１３のフェース面で打球されると、その打撃力により、クラウン部１１は、そのフェース部１３側における肉厚部２０の凹条部２１がフェース面に対して略平行に撓むと共に、そのバック部１０１側がリブ２１により撓みが規制されて反発エネルギがフェース面側に集中される。ここで、クラウン部１１は、フェース部１３のフェース面で打球されたボールに対する反発力を効率良く付与して、ボールの初速を高め、飛距離の向上を図る。この際、フェース部１３は、その打球位置がスイートスポットから若干、異なった位置で打球した場合にも、クラウン部１１の凹条部２１により、そのフェース面に略平行な反発力が付与されることで、略同様の安定した方向性を得ることができる。
【００２０】
このように、上記ゴルフクラブヘッドは、金属製ヘッド本体１０のクラウン部１１内壁におけるフェース部１３側にトウ・ヒール方向に連続され、フェース部１３のフェース面に沿って肉厚部２０を形成し、この肉厚部２０にトウ・ヒール方向に連続され、フェース面に沿って凹条部２１を設けて構成した。
【００２１】
これによれば、フェース部１３のフェース面で打球した打球時、クラウン部１１は、凹条部２１に発生した撓みが、その肉厚部２０によりフェース面に対して略平行に撓むように規制されて、略平行の反発力でボールを押し出す如く作用する。これにより、フェース部１３のフェース面で打球されたボールに対する反発力を効率良く付与して、ボールの初速を高め、飛距離の向上を図ることができる。この際、フェース部１３は、その打球位置がスイートスポットから若干、異なった位置で打球した場合にも、クラウン部１１により、フェース面に略平行な反発力が付与されることで、略同様に安定した方向性を得ることができる。
【００２２】
また、ヘッド本体１０のクラウン部１１内壁のバック部１０１側に、フェース部１３のフェース面と交差する方向に延出される複数のリブ２２を配して構成した。これによれば、クラウン部１１のバック部１０１側がリブ２２により、そのバック部１０１側の撓みが規制されて反発エネルギをフェース面側に集中させることが可能となることにより、さらに飛距離の向上を図ることができる。
【００２３】
なお、上記実施の形態では、凹条部２１を複数本、設けるように構成した場合で説明したが、これに限ることなく、例えば凹条部２１を一本だけ肉厚部２０に設けるように構成してもよい。
【００２４】
また、上記実施の形態では、略湾曲形状をした凹条部２１を、フェース部１３のフェース面に沿わせるように配して構成した場合で説明したが、これに限ることなく、凹条部２１を、略直線上に形成してフェース部１３のフェース面に沿わせて配するように構成することも可能である。
【００２５】
この発明は、上記実施の形態に限ることなく、その他、図３及び図４、図５、図６及び図７に示すように構成しても、略同様の効果を期待することができる。但し、この図３乃至図７においては、上記図１及び図２と同一部分について、同一符号を付して、その詳細な説明を省略する。
【００２６】
先ず、図３及び図４に示す実施の形態では、クラウン部１１内壁のフェース部１３側に、弾性変形規制部を構成する略直線上の複数の突条部３０が、フェース面に沿って所定の間隔を有して略平行に形成される。この突条部３０は、例えば打球時、クラウン部１１の所定間隔毎の撓みを規制して該クラウン部１１のフェース部１３が、フェース面に対して略平行に撓むように作用し、十分な反発力をボールに付与する。この際、フェース部１３のフェース面は、その面に対して略平行に撓むことで、打点位置が、異なった場合においても所望の方向性が確保される。
【００２７】
そして、クラウン部１１内壁のバック部１０１側には、複数、例えば２本のリブ３１がフェース部１３のフェース面に交差する該フェース面方向に延出させて形成される。これら突条部３０及びリブ３１は、そのうち最もバック部１０１側に配される突条部３０及びリブ３１のフェース面側の端部が、クラウン部１１の最も突出した位置Ｈ、即ちバック部１０１の湾曲部におけるクラウン部１１側の頂点位置Ａとフェース部１３の湾曲部におけるクラウン部１１側の頂点位置Ｂを結ぶ線上より最も離間された位置を含む所定の範囲を除いて形成される。
【００２８】
このうち、２本のリブ３１は、図４中において、略平行に設けているが、これに限ることなく、その他、フェース部１３のフェース面に対して傾斜させて交差するように設けるようにしてもよい。他方の突条部３０は、図４中において、略直線上に形成するように構成したが、これに限ることなく、略湾曲形状に形成し、フェース部１３のフェース面に沿うように形成することも可能である。
【００２９】
なお、上記図３及び図４の実施の形態では、突条部３０を複数本、設けるように構成した場合で説明したが、これに限ることなく、例えば突条部３０を一本だけクラウン部１１内壁に設けるように構成してもよい。
【００３０】
また、上記図３及び図４の実施の形態では、弾性変形規制用の突条部３０を設けて構成した場合で説明したが、これに限ることなく、その他、突条部３０に代えてクラウン部１１の内壁に弾性変形規制部を構成する凹条部を、同様にフェース部１３のフェース面に沿って設けるように構成することも可能である。この弾性変形規制部としての凹条部を、クラウン部１１の内壁に設けると、凹条部に沿ったクラウン部が撓みを規制し、略同様の効果が期待される。
【００３１】
図５に示す実施の形態では、クラウン部１１内壁のフェース部１３側に、弾性変形規制部を構成する略湾曲形状の複数の突条部４０が、フェース面に沿って所定の間隔を有して略平行に形成される。そして、クラウン部１１内壁のバック部１０１側には、後述するように所定の間隔を有して配される複数、例えば３本のリブ４１が、フェース部１３のフェース面に交差する該フェース面方向に延出させて形成される。
【００３２】
これら突条部４０及びリブ４１は、そのうち最もバック部１０１側に配される突条部４０及びリブ４１のフェース面側の端部が、クラウン部１１の最も突出した位置Ｈ、即ちバック部１０１の湾曲部におけるクラウン部１１側の頂点位置Ａとフェース部１３の湾曲部におけるクラウン部１１側の頂点位置Ｂを結ぶ線上より最も離間された位置を含む所定の範囲を除いて形成される。
【００３３】
このうち、３本のリブ４１は、中央部が重心Ｇに対応して配され、両端部が所定の傾斜角を有して上記突条部４０に交差するように配される。なお、この３本のリブ４１は、互いに傾斜させて配することなく、互いに略平行に配して、フェース部１３のフェース面と交差するように配するようにしてもよい。他方の突条部４０は、図５中において、略湾曲形状に形成するように構成したが、これに限ることなく、略直線上に形成し、フェース部１３のフェース面に沿うように形成することも可能である。
【００３４】
また、上記図５の実施の形態では、クラウン部１１内壁のフェース部１３側に、弾性変形規制部として突条部４０を設けるように構成した場合で説明したが、これに限ることなく、その他、弾性変形規制部として凹条部を、上記突条部４０に代えて設けるように構成することも可能である。
【００３５】
さらに、図６及び図７に示す実施の形態では、クラウン部１１内壁のフェース部１３側に、略直線上の複数の凹条部５０が、フェース部１３のフェース面に沿って所定の間隔に形成される。この凹条部５０は、クラウン部１１の最も突出した位置Ｈ、即ちバック部１０１の湾曲部におけるクラウン部１１側の頂点位置Ａとフェース部１３のフェース面の湾曲部におけるクラウン部１１側の頂点位置Ｂを結ぶ線上より最も離間された位置近傍まで設けられる。
【００３６】
そして、クラウン部１１内壁のバック部１０１側には、複数、例えば２本のリブ５１がフェース面に交差する該フェース面方向に延出させて形成される。このリブ５１は、そのフェース部１３側の端部が、クラウン部１１の最も突出した位置Ｈ、即ちバック部１０１の湾曲部におけるクラウン部１１側の頂点位置Ａとフェース部１３のフェース面の湾曲部におけるクラウン部１１側の頂点位置Ｂを結ぶ線上より最も離間された位置を含む所定の範囲を除いて形成される。
【００３７】
このうち、２本のリブ５１は、図７中において、略平行に設けているが、これに限ることなく、その他、フェース面に対して傾斜させて交差するように設けるようにしてもよい。他方の凹条部５０は、図７中において、略直線上に形成するように構成したが、これに限ることなく、略湾曲形状に形成し、フェース部１３のフェース面に沿うように形成してもよい。
【００３８】
なお、上記図６及び図７の実施の形態では、クラウン部１１内壁のフェース部１３側に、直接的に凹条部５０を設けるように構成した場合で説明したが、これに限ることなく、その他、例えば肉厚部を形成して、この肉厚部に、同様に凹条部５０を設けるように構成することも可能である。
【００３９】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００４０】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００４１】
【図１】この発明の一実施の形態に係るゴルフクラブヘッドの外観構成を示した斜視図である。
【図２】図１のヘッド本体のＣ―Ｃを断面して示した断面図である。
【図３】この発明の他の実施の形態に係るゴルフクラブヘッドの要部を断面して示した断面図である。
【図４】図３のヘッド本体における凹条部及びリブの配置関係を示した斜視図である。
【図５】この発明の他の実施の形態に係るゴルフクラブヘッドの配置構成を示した斜視図である。
【図６】この発明の他の実施の形態に係るゴルフクラブヘッドの要部を断面して示した断面図である。
【図７】図６のヘッド本体における凹条部及びリブの配置関係を示した斜視図である。
【符号の説明】
【００４２】
１０…ヘッド本体、１０１…バック部、１０２…ヒール、１０３…トウ、１１…クラウン部、１２…ソール部、１３…フェース部、１４…シャフト止着部、１５…シャフト、１６…ソケット、２０…肉厚部、２１…凹条部、２１…リブ、３０…突条部、３１…リブ、４０…突条部、４１…リブ、５０…凹条部、５１…リブ。
【図１】
2005073736.tif 000003
【図２】
2005073736.tif 000004
【図３】
2005073736.tif 000005
【図４】
2005073736.tif 000006
【図５】
2005073736.tif 000007
【図６】
2005073736.tif 000008
【図７】
2005073736.tif 000009